(57)【要約】  【課題】使い勝手のよい、エステティック及び治療のための身体トリートメント用のカプセル式装置を実現する。  【解決手段】装置１は、構造的ベース２と、可動室３ａとを備える。構造的ベース２の上面２ｂは、中央に長手方向に延びるレールを有する。可動室３ａはレールに沿って摺動可能である。可動室３ａは、個人用ベース３ａ及び関節動作式カバー６を備える。個人用ベース３ａは、座部３ｂ及び背部３ｃを備える。個人用ベース３ａの外面は、バイオセラミックが組み込まれたブランケットＭＴにより覆われており、該バイオセラミックは、電気的に励起されたとき、陰イオンと共に、赤外線を放出するようになされている。背部３ｃと座部３ｂとの間には、オリフィス３ｄがある。オリフィス３ｄには、使用者の汗を収集し得るリザーバ／貯蔵部４が連結されている。個人用ベース３ａの端部の端部から、２つの保護用のサイドアームが延びている。【選択図】  図５
2010259798.tif 000002
【特許請求の範囲】
【請求項１】
エステティック及び治療のための身体トリートメント用のカプセル式装置であって、局所的な脂肪の減少、神経筋肉のトリートメント、外科手術後の脂肪吸引トリートメント、堆積脂肪の減少、臨床検査のための汗の収集、および、患者のトリートメントに関する情報の保存のような、生命体にとっての有益性を促進する、身体のトリートメントのためのカプセル式装置（１）において、下方の構造的ベース（２）と、該ベース上のレイアウト物である、可動室（３）とを備えており、前記構造的ベース（２）は、設置面にて装置（１）を支持するための平坦な下面（２ａ）を有する一方、僅かに凹状（２ｃ）となった上面（２ｂ）を有しており、前記上面（２ｂ）は長手方向に延びるレール（２ｄ）を中央に有しており、該レール（２ｄ）は、前記可動室（３）を前記構造的ベース（２）に連結し且つ前記可動室（３）が前記レール（２ｄ）に沿って摺動することを許容するよになされており、前記可動室（３）は、個人用ベース（３ａ）及び関節動作式カバー（６）を備えており、前記可動室（３）は楕円形、長円形であり、前記個人用ベース（３ａ）は、座部（３ｂ）及び背部（３ｃ）を備えており、該個人用ベースの外面は、バイオセラミックが組み込まれたブランケット（ＭＴ）により覆われており、該バイオセラミックは、電気的に励起されたとき、陰イオンと共に、赤外線を放出するようになされており、前記背部（３ｃ）と前記座部（３ｂ）との間、すなわち前記個人用ベース（３ａ）が前記背部（３ｃ）と前記座部（３ｂ）との方向に拡がったようになった根本の部分には、オリフィス（３ｄ）があり、該オリフィスには、臨床検査のために使用者から採取される汗を収集し得るリザーバ／貯蔵部（４）が連結されており、前記個人用ベース（３ａ）の端部、すなわち前記カバー（６）との関節接合部（Ａ）付近にある前記個人用ベース（３ａ）の端部から、２つの保護用のサイドアーム（５）が前記座部（３ｂ）の長手方向に沿って延びており、該サイドアーム（５）は、前記関節接合部（Ａ）が有する共通の軸線（Ａ）の回りを回動することができ、それによって前記サイドアーム（５）は、前記個人用ベース（３ａ）への使用者のアクセスと、該個人用ベース（３ａ）内での使用者の身体の安全を保証することができ、前記関節動作式カバー（６）は、前記個人用ベース（３ａ）の形状に倣う楕円形の形状をし、半円形の断面を有し、前記関節動作式カバー（６）の内面は、前記ブランケット（ＭＴ）と同様のブランケット（ＭＴ´）にて被覆され、前記カバー（６）の外側部、すなわち、前記関節接合部（Ａ）とは反対側にある前記カバー（６）の自由端には、管状の隆起部（６ｂ）が設けられており、該隆起部（６ｂ）の端部は、制御盤（７）に連結されており、該制御盤（７）は、コンピュータスクリーン（７ａ）及び患者の像を映すスクリーン（７ｂ）を備えており、前記カバー（６）の側方両端部には、カバー（６）を動かすためのハンドル（６ｃ）が設けられている、ことを特徴とする、カプセル式装置（１）。
【請求項２】
請求項（１）に記載のエステティック及び治療のための身体トリートメント用のカプセル式装置において、前記個人用ベース（３ａ）は、前記レール（２ｄ）上を摺動し、０から７０°の角度範囲内にて変位することができ、それによって装置の使用を容易にし且つ装置の完全な滅菌性を向上させるようになされていることを特徴とする、カプセル式装置。
【発明の詳細な説明】
【技術分野】
【０００１】
本発明は、エステティックトリートメント及び治療トリートメントのためのカプセル式装置に関する。特に、陰イオンと共に、赤外線を放出することを許容し、毒素、重金属を容易に除去することを許容し、一部の疾患の予防管理及び、外科手術後の治療トリートメントを許容する、身体のトリートメントのためのカプセル式装置に関する。該装置は、レールが設けられた固定した構造体（構造的ベース）を有する。該レール上には、垂直に、すなわち上を向いた状態で、可動の室（チャンバ）が取り付けられ、該可動の室は座部及び背部を有する個人用（すなわち一人収容用の）ベースを備えている。該個人用ベースは、保護用サイドアームと、制御盤を有する関節動作式カバーとを備えている。該制御盤には、測定値の変動を常に追跡することを可能にする、コンピュータスクリーンおよび患者の像を映すスクリーンが設けられている。
【背景技術】
【０００２】
広く知られているように、エステティック療法は身体の調和をもたらす。医学に関する身体のトリートメントと共に、エステティックに関するトリートメントを施すことがなされる。現在、身体を調えるための、多様な技術及び装置を使用する幾つかの型式のトリートメント法が存在する。
【０００３】
市場にて存在する最も簡単なエステティックトリートメント技術は、浮腫をリンパ管まで排出し、このリンパ管にて浮腫が尿により排泄されるようにする特別なマッサージから成る、リンパドレナージである。
【０００４】
トリートメントクリニック又はエステティックセンターにて最も良く使用されているエステティック装置は、薬剤又は美容用の（あるいは特殊な）コンパウンドを皮膚又は皮下に施し、局所的な脂肪を減少させることを含む、メソセラピー（脂肪溶解法）に関するものである。しかし、薬を塗る方法は、例えば、腹部、背中、脚のような大きい面積の場所では完全な結果を得ることはできない。なぜなら、毒性を防ぐために薬の適用に制限があるからである。
【０００５】
エステティック／治療トリートメントのためのものとして市場にて存在する別の装置は、脂肪異常栄養症及び特殊な病理を治療するためにエステティック及び身体熱治療法方法を用いる熱療法を取り入れたものである。この装置は、熱ブランケットを備え、該熱ブランケットには、該ブランケットの内面を加熱し、毒素の除去、筋肉の弛緩、体重の減少、皮膚の湿潤化を促進することを可能とする電気抵抗が設けられている。
【０００６】
しかし、上記熱ブランケットの欠点は、まず、患者の状態の急激な変化を分析し且つ診断するための制御盤を有していないことである。したがって、専門家がその場にいて制御することなしでは、緊急状態の発生を招く可能性がある。また、臨床検査を行うために、患者から出た汗を集め／採取することを目的とする貯蔵部／リザーバも無い。これらの点が、本発明の装置とは異なる。
【０００７】
広く使用されている別のエステティックトリートメントの方法は、身体の表面に赤外線を与え、生命体の細胞を励起し、深い発汗作用を刺激することを可能とし、その結果、生命体自身によって生成される毒素に加えて、食品、飲物、汚染した空気中から毎日、吸収される毒素を取り除くことを可能とするものである。
【０００８】
データベースに基づく先行技術調査により、円管状本体と、身体の下方に挿入される下方カバーとにより形成され、指の圧力に基づいて機能する、人体内にて血液の循環を向上させるための健康支援機器が開示された、特許文献ＰＩ  ９７０５９８２−０が見つかった。この機器においては、陰イオン発生要素が本体内部に取り付けられている。また、バイオセラミックが本体内にて形成されて、陰イオンの発生要素の外側上方部分を取り囲んでいる。さらに、ゲルマニウムコンパウンドがバイオセラミック上に形成されている。陰イオンの発生要素の下方には永久磁石が取り付けられ、圧力要素が永久磁石の下側部と接触して所望の処理領域内にて永久磁石と皮膚とが直接接触するようになされている。身体には、イオン及び放出光線が投射される。
【先行技術文献】
【特許文献】
【０００９】
【特許文献１】ＰＩ  ９７０５９８２−０号明細書
【発明の概要】
【発明が解決しようとする課題】
【００１０】
上記型式の装置にて明らかとなった欠点は、陰イオンの付与が手操作（マニュアル）にて行われ、このため、身体表面の全体にわたってイオンを均一に付与することが不可能である点である。
【００１１】
当該出願人自身、以前に、本発明の構成とは異なる特徴を有する、エステティック／治療用の装置用のカプセル式装置を使用しており、また、それを継続して使用して研究していたため、それぞれのトリートメントに関して、造上及び機能上の改良を実現し、より優れた結果を促進する、それまで市場に存在しなかった本発明の構成を得るに至った。
【課題を解決するための手段】
【００１２】
消費者市場に向けた改良を促進する目的のため、当該出願人は、エステティック及び治療のトリートメントのためのカプセル式装置にて改良を実現した。より具体的には、本発明は、特に挙げれば、局所的な体重の減少、神経筋肉のトリートメント、外科手術後の脂肪吸引トリートメント、堆積脂肪（セルライト）の減少、臨床検査のための汗の採取、患者のトリートメント情報の保存のような、生命体にとっての有益性を促進する身体のトリートメントのための装置を対象とする。
【００１３】
上記のカプセル式装置は、下方の固定した構造的ベースを備える。該構造的ベースは、その下面が平坦である一方、その反対面（上面）は、長手方向レールが取り付けられる、凹状部を有する長い円弧状部を備えており、その凹状部を有する円弧状部は可動室を受けるようにされている。
【００１４】
本発明の装置の利点の１つは、その形態、すなわちその機能上の設計にあり、その理由は、上記の可動室は楕円形、長円形であり、座部及び背部を備える個人用（すなわち一人用）ベースを形成することを許容し、この個人用ベースの内面は、ブランケット（バイオセラミックが組み込まれることが好ましい）により被覆されており、このバイオセラミックは、電気的に励起されたとき、陰イオンと共に赤外線を放出し、毒素及び重金属の除去を早め、一部の疾患を特定し且つ外科手術後の治療的トリートメントを管理することを許容するからである。
【００１５】
このカプセル式装置の別の新規な点は、背部と座部との間、すなわちベースが背部と座部との方に拡がったようになった根本の部分に中央オリフィスがあり、この中央オリフィスの下方には、トリートメントしている間、汗を患者から採取し得るようリザーバ／貯蔵部が連結されている点である。臨床検査のため採取した汗を毒素、疾患等の点検のため検査所に送ることが可能である。
【００１６】
別の新規な点は、本発明の装置は、個人用ベースの端部に取り付けられたサイドアームを有している点である。このサイドアームは、装置に入り且つ装置から出る間、使用者の身体上の安全性を確保するから、このサイドアームは保護要素として取り付けられる。
【００１７】
本発明の装置は、関節動作式カバーの内側部のレイアウト物として、コンピュータスクリーン及び患者の像を映すスクリーンが設けられた制御盤を備えることができる。この制御盤は、患者のトリートメントを常時追跡することが可能で、測定中に得られた数値及び変化を記録し且つ保存し、また、その情報を患者の治療歴に保存することができる。
【００１８】
本発明のカプセル式装置の別の利点は、個人用ベースに対する使用者の身体のアクセス（出入り）が容易であることである。特別な装置の設計のため、身体障害者、高齢者、外科手術後の患者などが使用することが可能である。これは整形学的機能の１つともいえる。
【００１９】
本発明の別の利点は、カプセル式装置は、身体のアクセスを容易にする設計に加えて、その実施の形態及び特徴並びにその部品及び構成要素を固定する方法によって、完全な無菌状態を許容し、ウィルス／細菌の付着又は汗又は皮膚を通しての接触／透過により１人の使用者（患者）から別の使用者（患者）への伝染を防止できる点である。
【図面の簡単な説明】
【００２０】
本発明の特徴を一層良く理解し得るよう、この説明を補足するため、１つの好ましい実際的な実施の形態に従って、本発明を説明する。但し、この実施の形態は限定的なものでなく、以下の図面を参照して説明する。
【図１】開放した位置にあるカバーとともに示す、構造的ベースを備えたカプセル式装置の分解側面斜視図である。
【図２】カバーが閉じた位置にある、カプセル式装置の斜視図である。
【図３】カバーが開放した位置にある、カプセル式装置の、別の角度からの斜視図である。
【図４】それぞれの構成要素を概略図的に分解した状態で示す、カプセル式装置の側面分解図である。
【図５】内部の使用者を想像線で示しながら、カバーを閉じた状態の装置を側面から見た、概略側面図である。
【図６】下方ベースに関して室が休止位置にある、カプセル式装置の概略側面である。
【図６Ａ】下方ベースに関して室が垂直に近いに動かされた状態にある、カプセル式装置の概略側面図である。
【発明を実施するための形態】
【００２１】
図示した図面に関して、本発明は、エステティック用身体トリートメント及び治療用身体トリートメントなどのための身体トリートメント用のカプセル式装置に関する。より具体的に特に挙げれば、局所的な脂肪の減少、神経筋肉のトリートメント、外科手術後の脂肪吸引トリートメント、堆積脂肪のトリートメント、臨床検査のための汗の収集、患者のトリートメントに関する情報の保存のような、生命体にとっての有益性を促進する、身体のトリートメントのための装置１に関する。
【００２２】
上記のカプセル式装置１は、下方の固定した構造的ベース２と、該ベース上のレイアウト物である、可動室３とを備えている。ベース２は、設置面にて装置１を支持させるための平坦な下面２ａを有する一方、僅かに凹状（２ｃ）となった上面２ｂを有する。上面２ｂの中央には、長手方向レール２ｄが設けられている。このレール２ｄは、可動室３の個人用（すなわち一人用）ベース３ａを連結し且つ該個人用ベース３ａが摺動することを許容する。装置１はまた、関節動作式カバー６を備える。関節動作式カバー６は、可動室３の個人用ベース３ａに対して相補的に合致するものであり、可動室３の頂部を覆うことができる。
【００２３】
個人用ベース３ａ及び関節動作式カバー６により形成された可動室３は、全体として楕円形、長円形であり、個人用ベース３ａは、座部３ｂ及び背部３ｃを備える形態とされている。座部３ｂ及び背部３ｃの外面は、ブランケットＭＴにより覆われ、このブランケットＭＴには、好ましくは、バイオセラミックが組み込まれている。このバイオセラミックは、電気的に励起されたとき、陰イオンと共に、赤外線を放出し、毒素、重金属を除去し、一部の疾患を減少させ、外科手術後の治療的トリートメントを実施することを許容する。
【００２４】
座部３ｂ及び背部３ｃとの間、すなわち個人用ベース３ａが座部３ｂ及び背部３ｃの方向に拡がったようになった根本の部分には、オリフィス３ｄがある（図５）。このオリフィス３ｄには、患者から汗を収集し得るようリザーバ／貯蔵部４が連結されている。この汗は、収集されたのち、毒素、病気の有無等について臨床検査による分析のため施設に送られる。
【００２５】
個人用ベース３ａの端部、すなわちカバー６との関節接合部Ａ付近にある方の個人用ベース３ａの端部から、２つの保護用のサイドアーム５が座部３ｂの長手方向に沿って延びており、このサイドアーム５は、関節接合部Ａの同一の（共通の）軸線の回りを回動することができる。それによって、このサイドアーム５は、個人用ベース３ａへと使用者が入っていく（アクセスする）ことを許容し、且つ、個人用ベース３ａ内での使用者の身体の安全を保証することができる。
【００２６】
関節動作式カバー６は、ベース３ａの形状に倣う楕円形の形状をし、好ましくは、半円形の断面を有し、該カバーの内面は、ブランケットＭＴと同様のブランケットＭＴ´にて被覆されるものとする。
【００２７】
上記カバー６の外側部、より特定的には、関節接合部Ａとは反対側にあるカバー６の自由端には、管状の隆起部６ｂが設けられている。この隆起部６ｂの端部は、制御盤７に連結されている。制御盤７は、コンピュータスクリーン７ａ及び患者の像を映すスクリーン７ｂを備えている。これらのスクリーンは、常時、患者のトリートメント状態を追跡することができ、測定中に得られた数値や形態およびこれらの変化を記録し且つ保存し、また、使用者（患者を含む）の治療歴に関するこれらの情報を保存することができる。カバー６の側方両端部には、担当者がカバー６を動かすためのハンドル６ｃが設けられている。
【００２８】
個人用ベース３ａは、ベース２の上面２ｂ上の中央の長手方向レール２ｄ上を摺動し、０から７０°の角度範囲内にて変位することができる。このことは、装置の使用を容易にし、装置各部の完全な無菌性・滅菌性を向上させ、トリートメント手法の拡張性を促進することになる。
【００２９】
本発明が実施されるとき、特定の構造上の詳細及び形状に関して、改変を加えることができるが、このことは、特許請求の範囲に記載された基本的原理から逸脱することを意味するものではない。また、本願明細書で使用した技術用語は、単に説明の目的のためであり、当該発明の内容を不当に限定するものではないことが理解されよう。
【符号の説明】
【００３０】
１  カプセル式装置
２  下方の固定した構造的ベース
２ａ  平坦な下面
２ｂ  上面
２ｃ  僅かな凹状部分
２ｄ  中央の長手方向レール
３  可動室
３ａ  個人用ベース
３ｂ  座部
３ｃ  背部
３ｄ  オリフィス
４  リザーバ／貯蔵部
５  保護用のサイドアーム
６  関節動作式カバー
６ｂ  管状の隆起部
６ｃ  ハンドル
７  制御盤
７ａ  コンピュータスクリーン
７ｂ  患者の像を映すスクリーン
Ａ  関節接合部
ＭＴ  ブランケット
ＭＴ´  ブランケット
【図１】
2010259798.tif 000003
【図２】
2010259798.tif 000004
【図３】
2010259798.tif 000005
【図４】
2010259798.tif 000006
【図５】
2010259798.tif 000007
【図６】
2010259798.tif 000008
【図６Ａ】
2010259798.tif 000009